(57)【要約】無線装置の方法は、ダウンリンク制御信号を監視するための帯域幅を決定し、可能なダウンリンク制御インジケータ（ＤＣＩ）フォーマットのセットを決定し、可能なＤＣＩフォーマットは決定された帯域幅と互換性を有するＤＣＩフォーマットであり、ネットワークノードから送信を受信することと、当該セットのＤＣＩフォーマットのうちの少なくとも１つを使用して復号することによって当該送信における制御情報をサーチし、制御情報の復号が成功すると、制御情報に関連する少なくとも１つのタスクを実行することを含む。ネットワークノードの方法は、ダウンリンク送信で使用されるダウンリンク帯域幅を設定すること、ダウンリンク帯域幅に基づいてＤＣＩフォーマットを決定すること、決定されたＤＣＩフォーマットを有するＤＣＩを使用して制御情報を送信することを含む。当該方法をそれぞれ実行するように構成された無線装置およびネットワークノード、ならびに当該方法を実装するためのコンピュータプログラムが開示される。【選択図】図２
2019533955.tif 000002
【特許請求の範囲】
【請求項１】
無線装置の方法であって、
ダウンリンク制御信号を監視するための帯域幅を決定することと、
可能なＤＣＩ（ダウンリンク制御インジケータ）フォーマットのセットを決定することであって、可能なＤＣＩフォーマットは前記決定された帯域幅と互換性を有するＤＣＩフォーマットである、ことと、
ネットワークノードからの送信を受信することと、
前記セットのうちの少なくとも一つの前記ＤＣＩフォーマットを使用して復号することによって前記送信における制御情報をサーチすることと、
前記制御情報の復号に成功すると、前記制御情報に関連付けられた少なくとも一つのタスクを実行することと、を有する方法。
【請求項２】
請求項１に記載の方法であって、前記セットのうちの少なくとも一つの前記ＤＣＩフォーマットを使用して復号することは、
前記ＤＣＩフォーマットの一つを使用して制御情報を復号することを試行することと、
復号が失敗すると、前記セットから別のＤＣＩを選択し、前記制御情報の復号の試行に戻ること、または、
復号が成功すると、前記少なくとも一つのタスクを実行することに進むことと、を有する方法。
【請求項３】
請求項１または２に記載の方法であって、前記ＤＣＩフォーマットのセットは、前記決定された帯域幅に基づいてテーブルから取得される、方法。
【請求項４】
請求項１ないし３のいずれか一項に記載の方法であって、前記セットにおけるそれぞれのＤＣＩフォーマットに使用可能である、可能な制御チャネル要素であるＣＣＥの数に関する情報を決定することを有し、前記可能なＣＣＥの数に関する情報は前記復号のために使用される、方法。
【請求項５】
請求項１ないし４のいずれか一項に記載の方法であって、第１の帯域幅のための第１のセットのＤＣＩフォーマットは、第１の量の情報を保持するＤＣＩフォーマットを含み、第２の帯域幅のための第２のセットのＤＣＩフォーマットは、第２の量の情報を保持するＤＣＩフォーマットを含み、前記第２の帯域幅は前記第１の帯域幅よりも広く、前記第２の量の情報は前記第１の量の情報の一部ではない情報を含む、方法。
【請求項６】
請求項５に記載の方法であって、前記第２の量の情報の一部であるが前記第１の量の情報の一部ではない前記情報は、
第１のしきい値を超える複数入力複数出力（ＭＩＭＯ）レイヤの数と、
第１の帯域幅に対する設定よりも多くのビットを必要とする、より複雑なＭＩＭＯ設定と、
第２のしきい値を超える変調符号化方式と、
第３のしきい値を超える符号化率と、
前記第１の帯域幅の外側のリソースブロックを指すリソースブロック割り当てと、のいずれかを含む、方法。
【請求項７】
請求項１ないし６のいずれか一項に記載の方法であって、監視のための前記帯域幅を決定することは、直前または過去に使用されたＤＣＩに基づく、方法。
【請求項８】
請求項７に記載の方法であって、前記直前または過去のＤＣＩは、連続送信で使用されるべき帯域幅についての明示的な情報を含む、方法。
【請求項９】
請求項８に記載の方法であって、前記明示的な情報は、前記ダウンリンク制御信号を監視するための前記帯域幅を示す１つまたは複数のビットを含む、方法。
【請求項１０】
請求項７に記載の方法であって、前記帯域幅を決定することは、前記直前または過去のＤＣＩに関連する帯域幅として黙示的に決定される、方法。
【請求項１１】
請求項１ないし１０のいずれか一項に記載の方法であって、監視するための前記帯域幅を決定することは、
監視のためにより広い帯域幅で動作しているとき、リソース割り当てが割り当てしきい値に達したときにタイマーをリセットすることと、
前記タイマーが満了すると、前記監視のための帯域幅をより狭い帯域幅に決定することと、を有する方法。
【請求項１２】
請求項１１に記載の方法であって、前記タイマーをリセットすることは、前記タイマーを設定して開始させることを含む、方法。
【請求項１３】
請求項１ないし１２のいずれか一項に記載の方法を実行するように構成された無線装置。
【請求項１４】
無線装置のプロセッサによって実行されると、前記無線装置に請求項１ないし１２のいずれか一項に記載の方法を実行させる命令を含むコンピュータプログラム。
【請求項１５】
ネットワークノードの方法であって、
ダウンリンク送信で使用されるダウンリンク帯域幅を設定することと、
前記ダウンリンク帯域幅に基づいてＤＣＩフォーマットを決定することと、
前記決定されたＤＣＩフォーマットを有するＤＣＩを使用して制御情報を送信することと、を有する方法。
【請求項１６】
請求項１５に記載の方法であって、第１の帯域幅のための第１のセットのＤＣＩフォーマットは、第１の量の情報を保持するＤＣＩフォーマットを含み、第２の帯域幅のための第２のセットのＤＣＩフォーマットは、第２の量の情報を保持するＤＣＩフォーマットを含み、前記第２の帯域幅は前記第１の帯域幅よりも広く、前記第２の量の情報は前記第１の量の情報の一部ではない情報を含む、方法。
【請求項１７】
請求項１４に記載の方法であって、前記第２の量の情報の一部であるが前記第１の量の情報の一部ではない前記情報は、
第１のしきい値を超える複数入力複数出力（ＭＩＭＯ）レイヤの数と、
第２のしきい値を超える変調符号化方式と、
第３のしきい値を超える符号化率と、
前記第１の帯域幅の外側のリソースブロックを指すリソースブロック割り当てと、のいずれかを含む、方法。
【請求項１８】
請求項１５ないし１７のいずれか一項に記載の方法であって、監視のための前記帯域幅は、直前または過去のＤＣＩにおいて示される、方法。
【請求項１９】
請求項１８に記載の方法であって、前記直前または過去のＤＣＩは、連続送信で使用されるべき帯域幅についての明示的な情報を含む、方法。
【請求項２０】
請求項１９に記載の方法であって、前記明示的な情報は、前記ダウンリンク制御信号を監視するための前記帯域幅を示す１つまたは複数のビットを含む、方法。
【請求項２１】
請求項１８に記載の方法であって、前記帯域幅は、他のものを明示的に示されない限りにおいて、前記直前または過去のＤＣＩに関連する帯域幅として黙示的に決定される、方法。
【請求項２２】
請求項１７ないし２１のいずれか一項に記載の方法であって、監視するための前記帯域幅を決定することは、
監視のためにより広い帯域幅で動作しているとき、リソース割り当てが割り当てしきい値に達したときにタイマーをリセットすることと、
前記タイマーが満了すると、前記監視のための帯域幅をより狭い帯域幅に決定することと、を有する方法。
【請求項２３】
請求項２２に記載の方法であって、前記タイマーをリセットすることは、前記タイマーを設定して開始させることを含む、方法。
【請求項２４】
請求項１５ないし２３のいずれか一項に記載の方法を実行するように構成された、無線アクセスネットワークのネットワークノード。
【請求項２５】
ネットワークノードのプロセッサによって実行されると、前記ネットワークノードに請求項１５ないし２３のいずれか一項に記載の方法を実行させる命令を含むコンピュータプログラム。
【発明の詳細な説明】
【技術分野】
【０００１】
本発明は、一般に、無線装置およびネットワークノードの方法、そのような無線装置およびネットワークノード、ならびにそれらのコンピュータプログラムに関する。特に、本発明は、制御信号のための適切な帯域幅の監視およびそのような適切な帯域幅の決定を可能にすることに関する。
【背景技術】
【０００２】
現在のセルラーロングタームエボリューション（ＬＴＥ）規格は、１．４ＭＨｚから最大２０ＭＨｚまでの柔軟な帯域幅（ＢＷ）、およびキャリアアグリゲーション技術を用いたさらに広い帯域幅をサポートする。無線装置、例えば３ＧＰＰ用語での「ＵＥ」がｅＮｏｄｅＢまたは他の基地局などのネットワーク（ＮＷ）ノードに接続するためには、無線装置は使用すべきシステム帯域幅と同様にセルキャリア周波数を決定しなければならない。さらに、現在のＬＴＥ規格では、ＮＷノードと無線装置が同じシステムＢＷを使用してサポートおよび接続する要件が存在する。したがって、無線装置は、ＮＷのシステムＢＷ全体にわたって、関連する制御メッセージを探索しなければならない。
【０００３】
本明細書においてＮＲで示される、５Ｇで今後予定されている新しい無線アクセス技術のために、それぞれのノードのシステム帯域幅に対してより一般的なアプローチが望ましい。ＮＲは複数の種類の無線装置をサポートする必要がる。無線装置の種類の範囲には、例えば、数ＧＨｚまでのシステムＢＷをサポートすることができるハイエンドモバイルブロードバンド（ＭＢＢ）無線装置や、１００ｋＨｚまたはおそらく数ＭＨｚのＢＷをサポートすることができる低コストで低電力のマシンタイプコミュニケーション（ＭＴＣ）無線装置までが含まれる。
【０００４】
したがって、ＮＲシステムに望まれる機能の１つは、「スケジューリング」ＢＷをそれぞれの無線装置に割り当てる際の柔軟性である。ここで、スケジューリングＢＷは、無線装置が制御チャネルを探索することができる受信ＢＷを無線装置が適用することができるように、ネットワークノードによって無線装置に決定されシグナリングされるＢＷである。特に、ＬＴＥの以前のリリース（および他の旧世代のネットワーク規格）とは対照的に、ＮＲシステムは、サポート側のＮＷノードのために設定されたシステム全体の帯域幅内の任意の無線装置に「スケジューリング」帯域幅を割り当てる機能を持つ必要がある。割り当てられたスケジューリング帯域幅は、装置によってサポートされている無線受信機ＢＷに等しいかそれより小さくてもよい。
【０００５】
ｅＭＴＣは３ＧＰＰによるＲｅｌｅａｓｅ１３の一部であり、とりわけ、アップリンクとダウンリンクの帯域幅を狭くし、データレートを低くし、送信電力を減らすことで、これらはある種のＭＴＣ無線装置にメリットをもたらす。ｅＭＴＣの機能強化により、ＭＴＣ無線装置は接続先のサポートＮＷノードのシステム帯域幅よりも狭い帯域幅で動作することができるが、固定の１．４ＭＨｚ帯域幅を使用するため、ＮＲシステムに必要な柔軟性が欠ける。
【０００６】
したがって、本明細書では、柔軟なスケジューリングＢＷ割り当てをサポートするために、ＮＲネットワークとそれらの中で動作する無線装置との間で必要とされるシグナリングを提供する方法および装置が依然として必要であることが認識される。
【発明の概要】
【０００７】
本発明は、必要以上に広い帯域幅のダウンリンク制御信号を監視することを回避することによって電力が節約され得るという理解に基づいている。
【０００８】
第１の態様によれば、無線装置の方法が提供される。本方法は、ダウンリンク制御信号を監視するための帯域幅を決定することと、可能なダウンリンク制御インジケータ（ＤＣＩ）フォーマットのセットを決定することとであって、当該可能なＤＣＩフォーマットは決定された帯域幅と互換性を有するＤＣＩフォーマットである、ことと、ネットワークノードから送信を受信することと、当該セットにおけるＤＣＩフォーマットのうちの少なくとも１つを使用して復号することによって当該送信における制御情報をサーチすることと、制御情報の復号が成功すると、その制御情報に関連する少なくとも１つのタスクを実行することと、を有する。
【０００９】
当該セットにおける少なくとも１つのＤＣＩフォーマットを使用する復号することは、ＤＣＩフォーマットの１つを使用して制御情報を復号することを試行することと、当該復号が失敗した場合、当該セットから別のＤＣＩフォーマットを選択し、制御情報を復号することを試行することに戻ることと、または、当該復号が成功した場合、少なくとも１つのタスクを実行することとに進むことと、を含む。
【００１０】
ＤＣＩフォーマットの当該セットは、決定された帯域幅に基づくテーブルから取得されてもよい。
【００１１】
本方法は、当該セットにおけるそれぞれのＤＣＩフォーマットに使用可能である、可能な制御チャネル要素であるＣＣＥの数に関する情報を決定することを含んでもよく、ここで可能なＣＣＥの数に関する情報は復号に使用される。
【００１２】
第１の帯域幅のためのＤＣＩフォーマットの第１のセットは第１の量の情報を保持するＤＣＩフォーマットを含み、第２の帯域幅のためのＤＣＩフォーマットの第２のセットは第２の量の情報を保持するＤＣＩフォーマットを含み、第２の帯域幅は第１の帯域幅よりも広く、第２の量の情報は第１の量の情報の一部ではない情報を含む。第２の量の情報の一部であるが第１の量の情報の一部ではない情報は、第１のしきい値を超える任意の数の複数入力複数出力ＭＩＭＯのレイヤの数と、第１の帯域幅の設定のためのものよりも多くのビットを必要とするより複雑なＭＩＭＯ設定と、第２のしきい値を超える変調および符号化方式と、第３のしきい値を超える符号化率と、第１の帯域幅外のリソースブロックを指すリソースブロック割り当てとのうちのいずれかを含んでもよい。
【００１３】
監視のための帯域幅の決定は、直前のまたは過去に使用されたＤＣＩに基づいてもよい。直前のＤＣＩまたは過去のＤＣＩは、連続送信で使用されるべき帯域幅についての明示的な情報を含み得る。明示的情報は、ダウンリンク制御信号を監視するための帯域幅を示す１つまたは複数のビットを含み得る。帯域幅の決定は、直前のまたは過去のＤＣＩに関連する帯域幅として黙示的に決定されてもよい。
【００１４】
監視のための帯域幅の決定は、監視のためのより広い帯域幅で動作しているとき、リソース割り当てが割り当てしきい値に達したときにタイマーをリセットし、その後タイマーが満了したときに監視のための帯域幅をより狭い帯域幅に決定することを含み得る。タイマーのリセットは、タイマーの設定および開始を含み得る。
【００１５】
第２の態様によれば、第１の態様の方法を実行するように構成された無線装置が提供される。
【００１６】
第３の態様によれば、無線装置のプロセッサによって実行されると、無線装置に第１の態様による方法を実行させる命令を含むコンピュータプログラムが提供される。
【００１７】
第４の態様によれば、ネットワークノードの方法が提供される。本方法は、ダウンリンク送信で使用されるダウンリンク帯域幅を設定すること、ダウンリンク帯域幅に基づいてＤＣＩフォーマットを決定すること、および決定されたＤＣＩフォーマットを有するＤＣＩを使用して制御情報を送信することを含む。
【００１８】
第１の帯域幅のためのＤＣＩフォーマットの第１のセットは第１の量の情報を保持するＤＣＩフォーマットを含み、第２の帯域幅のためのＤＣＩフォーマットの第２のセットは第２の量の情報を保持するＤＣＩフォーマットを含み、第２の帯域幅は第１の帯域幅よりも広く、第２の量の情報は第１の量の情報の一部ではない情報を含む。第２の量の情報の一部であるが第１の量の情報の一部ではない情報は、第１のしきい値を超える、複数入力複数出力であるＭＩＭＯレイヤの数と、第２のしきい値を超える変調および符号化方式と、第３のしきい値を超える符号化率と、第１の帯域幅外のリソースブロックを指すリソースブロック割り当てとのいずれかを含みうる。
【００１９】
監視のための帯域幅は、直前のまたは過去のＤＣＩにおいて示されてもよい。直前のＤＣＩまたは過去のＤＣＩは、連続送信で使用されるべき帯域幅についての明示的な情報を含み得る。明示的な情報は、ダウンリンク制御信号を監視するための帯域幅を示す１つまたは複数のビットを含み得る。帯域幅は、他に明示的に示されていない限り、直前または過去のＤＣＩに関連する帯域幅として黙示的に示されてもよい。
【００２０】
監視のための帯域幅の決定は、監視のためのより広い帯域幅で動作しているときに、リソース割り当てが割り当てしきい値に達したときにタイマーをリセットし、その後タイマーが満了したときにより狭い帯域幅に監視のための帯域幅を設定することを含み得る。タイマーのリセットは、タイマーの設定および開始を含み得る。
【００２１】
第５の態様によれば、第４の態様の方法を実行するように構成された無線アクセスネットワークのネットワークノードが提供される。
【００２２】
第６の態様によれば、ネットワークノードのプロセッサによって実行されると、ネットワークノードに第４の態様による方法を実行させる命令を含むコンピュータプログラムが提供される。
【図面の簡単な説明】
【００２３】
本発明の上記ならびに他の目的、特徴および利点は、添付の図面を参照しながら、以下の本発明の好適な実施形態の例示的かつ非限定的な詳細な説明を通して、さらによく理解されるであろう。
【図１】図１は、本明細書の教示に従って構成された無線通信ネットワークの一実施形態のブロック図である。
【図２】図２は、無線通信ネットワークにおける動作のために構成されたネットワークノードおよび無線装置に関する例示的な詳細のブロック図である。
【図３】図３は実施形態にしたがったアクセスネットワークの無線装置の方法を概略的に示すフローチャートである。
【図４】図４は実施形態にしたがったネットワークノードの方法を概略的に示すフローチャートである。
【図５】図５はコンピュータ可読媒体および処理装置を概略的に示す図である。
【図６】図６はネットワークノードと通信装置とを備える無線ネットワークを示す図である。
【発明を実施するための形態】
【００２４】
図１は、１つまたは複数の通信サービスをワイヤレスデバイス（無線装置）１２に提供するために、無線装置１２に通信可能に結合するように構成された無線通信ネットワーク１０の例示的な実施形態を示す。一例として、無線通信ネットワーク１９（「ネットワーク１０」）は無線装置１２にインターネットやパケットデータ接続性を提供する。より具体的には、ネットワーク１０および無線装置１２は、本明細書に記載の柔軟なスケジューリング帯域幅割り当ておよび電力効率的な動作に従って動作する。
【００２５】
図１に示す簡略図によれば、ネットワーク１０は無線アクセスネットワーク（ＲＡＮ）１４および関連ネットワーク（ＮＷ）インフラストラクチャ１６を含む。ＮＷインフラストラクチャは、例えば、モビリティーマネージメントの提供とＲＡＮ１４の内外に対するルーティングインタフェースとにしたがった、データ処理、スイッチング、および記憶機能を含む。ネットワークインフラストラクチャ１６は、クラウド実行環境１８と通信可能に結合してもよく（例えば、１つまたは複数のネットワーク機能（ＮＦ）またはアプリケーションサービスを提供してもよい）、また１つまたは複数のデータセンター２０に結合してもよい。さらに、複数のＲＡＮ１４、および複数の種類の無線アクセス技術（ＲＡＴ）が関与していてもよい。
【００２６】
いくつかの実施形態では、ネットワーク１０は、いわゆる「５Ｇ」ネットワークを含み、本明細書では「ＮＲ」ネットワークまたはシステムとも呼ばれ、ここで、「ＮＲ」は「ニューレディオ」を表す。一つの意図された実装によれば、ネットワーク１０は、主に新しいスペクトルをターゲットとする新しい無線アクセス技術と組み合わせた、既存のスペクトル用のＬＴＥの進化と表現されてもよい。その重要な技術構成要素の中で、５Ｇ実装におけるネットワーク１０は、アクセス／バックホール統合、無線装置間通信、柔軟なデュプレックス、柔軟なスペクトルの使用、マルチアンテナ送信、超リーン設計、およびユーザ／制御データ分離を含む。ここで、超リーン設計は、ユーザデータの配信に直接関係しない送信の削減を指し、ＲＡＮ１４は、１つまたは複数の狭く動的に割り当て可能なアンテナビームを介したビームフォーミングにユーザデータの配信を大きく依存するように構成され得る。
【００２７】
無線装置１２（「装置１２」）には他の柔軟性および幅の点が当てはまる。第１に、ネットワーク１０は潜在的に多くの装置１２をサポートすることができ、様々な装置１２は異なる種類のものとすることができ、異なる種類の通信サービスに従事することができる。例えば、モバイルブロードバンド（ＭＢＢ）サービス用に構成された装置１２は、ネットワーク１０を介して配信された映画、音楽、および他のマルチメディアコンテンツにアクセスするために人間によって使用され得る。組み込み運用のための装置１２は、いかなるユーザインタフェースも含まないかもしれず、低電力で低速のマシンタイプコミュニケーション（ＭＴＣ）の送信または受信にのみ従事するかもしれない。したがって、限定ではなく一例として、装置１２は、スマートフォン、フィーチャーフォン、センサ、アクチュエータ、ワイヤレスモデムまたは他のワイヤレスネットワークアダプタ、ラップトップコンピュータ、タブレットまたは他のモバイルコンピューティング無線装置、ネットワーク１０にアクセスし、ネットワーク１０によってサポートされるＲＡＴのうちの任意の１つまたは複数に従って動作するように構成された他のいずれかの無線通信装置であってもよい。さらに、装置１２は、モバイルデバイスであってもよいし、固定位置において設置または運用されてもよい。
【００２８】
図２は、無線装置１２と、本明細書の教示のネットワーク側の態様をサポートするように構成されているネットワークノード３０との例示的な実装の詳細を示している。ネットワークノード３０は、通信インターフェース回路３２を含み、通信インターフェース回路３２は、１つまたは複数のＲＡＴに従って、１つまたは複数の装置１２と無線通信するための無線周波数トランシーバ回路３４、すなわち１つまたは複数の無線周波数の送信機および受信機の回路を含む。さらに、少なくとも１つの実施形態では、通信インターフェース回路３２は、ネットワーク１０内の１つまたは複数の他のノードと通信するための１つまたは複数のネットワークインタフェース、たとえばイーサネットまたは他のノード内インターフェースを含み、無線周波数回路を含まなくてもよい。そのような実施形態では、ネットワークノード３０は、例えば無線周波数回路を有する別のノードを介して、装置１２と間接的に通信することができる。
【００２９】
ネットワークノード３０はまた、通信回路３２と動作可能に関連する処理回路３６を含む。処理回路３６は、プログラムされた回路または固定回路、あるいはプログラムされた回路と固定回路の組み合わせを含む。例示的な実施形態によれば、処理回路３６は、１つまたは複数のマイクロプロセッサ、デジタル信号プロセッサ（ＤＳＰ）、フィールドプログラマブルゲートアレイ（ＦＰＧＡ）、特定用途向け集積回路（ＡＳＩＣ）、または他のデジタル処理回路を備える。
【００３０】
少なくとも１つの実施形態では、処理回路３６は、ネットワークノード３０内の記憶装置３８に記憶されている１つまたは複数のコンピュータプログラム４０に含まれるコンピュータ命令の実行に少なくとも部分的に基づいて構成される。記憶装置３８は、本明細書の教示によるネットワークノード３０の動作に関連する構成データ４２の一つ以上の項目を記憶していてもよい。記憶装置３８は、例えば、ソリッドステートディスク（ＳＳＤ）、ＦＬＡＳＨ、ＤＲＡＭ、ＳＲＡＭおよびその他などの１つまたは複数のタイプのコンピュータ可読媒体を含む。一つの実施形態によれば、記憶装置３８は、コンピュータプログラム４０のための長期間の記憶を提供し、さらに処理回路３６の動作のための作業メモリを提供する。
【００３１】
図２はまた、装置１２の例示的な実装の詳細を提供する。装置１２は、通信インターフェース回路５２を含み、これはさらに無線周波数トランシーバ回路５４、つまり、１つまたは複数のＲＡＴにしたがって、ネットワーク１０と無線通信するための１つまたは複数の無線周波数の送信機および受信機の回路５４を含む。
【００３２】
装置１２はまた、通信回路５２と動作可能に関連する処理回路５６を含む。処理回路５６は、プログラムされた回路または固定回路、あるいはプログラムされた回路と固定回路の組み合わせを含む。例示の実施形態では、処理回路５６は、１つまたは複数のマイクロプロセッサ、デジタル信号プロセッサ（ＤＳＰ）、フィールドプログラマブルゲートアレイ（ＦＰＧＡ）、特定用途向け集積回路（ＡＳＩＣ）、または他のデジタル処理回路を備える。
【００３３】
少なくとも１つの実施形態では、処理回路５６は、装置１２内の記憶装置５８に記憶された１つまたは複数のコンピュータプログラム６０に含まれるコンピュータ命令の実行に少なくとも部分的に基づいて構成される。本明細書の教示による装置１２の動作に関連する構成データ６２の一つ以上のアイテムを記憶してもよい。記憶装置５８は、例えば、ソリッドステートディスク（ＳＳＤ）、ＦＬＡＳＨ、ＤＲＡＭ、ＳＲＡＭおよびその他などの１つまたは複数のタイプのコンピュータ可読媒体を含む。一つの実施形態によれば、記憶装置５８は、コンピュータプログラム６０のための長期間の記憶を提供し、さらに処理回路５６の動作のための作業メモリを提供する。
【００３４】
上記を念頭において、ネットワークノード３０は、所与の無線装置１２のスケジューリング帯域幅（ＢＷ）を指し示すまたは構成するシグナリングを送信または開始するように構成され得る。ネットワークノード３０は、スケジューリングＢＷにおける変更をシグナリングするようにさらに構成され、例えば、信号受信のために装置１２によって使用されるべき第１および第２の受信機ＢＷを示す。一例として、ネットワークノード３０は、無線装置１２によって使用されるべき第１の受信機ＢＷを指し示し、その後、無線装置１２によって使用されるべき第２の受信機ＢＷを指し示す。このようなインジケーションは、以下で説明されるように、明示的および／または黙示的であり得る。さらに、以下で説明されるように、ネットワークノードからの制御信号を監視するためにＵＥによって使用されるＢＷは、広すぎるＢＷを監視することによって不要な電力を消費することを回避するために、それに応じて適合されるように意図されている。
【００３５】
またさらに、ネットワークノード３０、またはネットワーク内の別のエンティティは、無線装置１２におけるＢＷ設定変更を制御するために、たとえば第１の受信機ＢＷから第２の受信機ＢＷに変更するために、あるいは、第２の受信機ＢＷから第１の受信機ＢＷに戻るために、必要なタイマパラメータを決定するように構成されてもよい。ここでは、用語「受信機ＢＷ」および「スケジューリングＢＷ」が使用される。スケジューリングＢＷは、ＮＷノードによって設定され、無線装置にシグナリングされる。無線装置は、スケジューリングＢＷに基づいて自己の受信機ＢＷを設定し、たとえば、同一のＢＷに設定する。これらのＢＷは、無線装置が制御チャネルについてスキャンするためのいくつかのリソースブロックの数または番号として示され得る。ＤＲＸモードがアクティブであるときに、無線装置１２での受信機ＢＷの設定変更のために使用されるべきタイマパラメータを設定するか、そうでなければ指し示すことが実行されてもよい。
【００３６】
開示された教示のこれらの態様を補足すると、無線装置１２は、受信機の電力消費を低減するための設定パラメータを使用するように構成され得る。特に、無線装置１２は、現在のユーザシナリオおよび無線装置のニーズに基づいて、データの受信および／またはレイヤ１／レイヤ２の制御のために十分な受信機ＢＷのみを使用することによって、自己の受信機の電力消費を低減する。ここで、ユーザのシナリオは、１つまたは複数の通信セッションが進行中であること、通信セッションの性質、その他などであり得る。通信セッションの性質は、サイズを含み、たとえば、通知のみを含むのかどうかや、それがメディアストリームを含むのかどうか、遅延時間の要件、送信される情報の種類の区別、その他などを含む。無線装置の必要性は、例えば、電力消費、処理電力、ＲＦ能力、バッテリ状態などを含み得る。
【００３７】
１つの例示的なシナリオでは、無線装置１２は、第１の受信機ＢＷを用いて動作し、次いで、たとえばネットワーク１０からのシグナリングに応答してより広い第２の受信機ＢＷに再設定する。第１の受信機ＢＷを使用してサポートされ得るものと比較して、より大量のデータまたはより高速のデータを無線装置１２に送信することを用にすするために、無線装置１２は第２の受信機ＢＷに再設定する。有利なことには、第２のＢＷ上での送信後に動作が第１のＢＷに従ったデータトラフィックに戻るときには、第１のＢＷで動作するように移行が行われたとき、メディアプロトコルによっては、第２のＢＷを必要とするデータよりも、わずかに遅く到着する可能性があるいくつかのパケットがあり、したがってより低い電力または容量消費で処理することができる。特に、これらのパケットは、ＤＲＸタイマーが満了する前に処理されてもよく、その場合、第１のＢＷで動作するときのための制限されたキャパシティはその処理にとって適切である。さらに、高需要セッションと低需要セッションの両方が同時に実行される場合、低需要セッションの動作への移行はより円滑になる。さらに、送信が帯域幅と時間の両方で制限されているときに、リソースが節約されるという利点もある。
【００３８】
上記で実証されたように、異なるＢＷを使用することおよびそれに関連するシグナリングの一般的なメカニズムを与えるために、本開示は、制御チャネルを監視およびサーチするために使用されるＢＷに焦点を合わせる。目的は、より小さいＢＷ受信機を使用して監視およびサーチを行うことができ、それによって必要な動作の観点から実現可能であるときに電力消費を削減することである。すなわち、監視およびサーチのためのより大きなＢＷ受信は、それが有益であるときに使用され得るが、そうでなければ避けられる。これを達成するために、制御シグナリングフォーマットを適応させる手法が必要とされている。
【００３９】
ＵＥ（無線装置、スマートフォン、ＩｏＴ／ＭＴＣ無線装置、モデム、ラップトップ、タブレットコンピュータなど）は、少なくとも第１の狭帯域ダウンリンク（ＤＬ）監視ＢＷおよび第２の広帯域ＤＬ監視ＢＷでＵＥを構成することができるモードで動作していると仮定する。設定されたＢＷでは、ＵＥは制御およびデータ情報の受信を監視し、制御チャネル内でダウンリンク制御インジケータ（ＤＣＩ）がＵＥに送信されてもよいが、ＤＣＩは、物理ダウンリンク共有チャネル（ＰＤＳＣＨ）におけるリソースブロック（ＲＢ）割り当て、複数入力複数出力（ＭＩＭＯ）状態、ハイブリッドＡＲＱ（自動再送要求）パラメータ、変調符号化方式（ＭＣＳ）およびその他などのさらなるＤＬ処理のデータに関する情報と、ＲＢ割り当て、ＭＩＭＯ状態、ハイブリッドＡＲＱパラメータ、ＭＣＳ、およびその他などのデータのＵＬ送信に関する情報などを含む。適用されるＤＣＩフォーマットは、ペイロードサイズ、内容、使用状況およびその他を示す、許可されたＤＣＩフォーマットのセットにおける１つであり、このセットは、設定されたＤＬ監視ＢＷに応じて異なりうるものであり、適用される通信に関連する規格、すなわち使用される無線アクセス技術に関連する規格、例えばＮＲ規格によって定義され得る。これらの制限から、ネットワークノードからＵＥへの黙示のシグナリングは、非常に限られたオーバーヘッドしか必要としないため、非常にスリムなシグナリングのアプローチを提供するかもしれない。すなわち、ネットワークノードがＵＥにサービスを提供しているアクセスネットワークのネットワークノードは、使用されるＤＬスケジューリング（または監視）ＢＷを設定する。これは、例えば、提供されるサービス、送信データバッファ内に存在するデータの量、トラフィック履歴、データタイプおよびその他などに基づいて行われてもよい。設定されたＤＬＢＷに基づいて、ネットワークノードは、使用可能なＤＣＩフォーマットの一つのセットを決定する。データがＵＥに送信されるとき、ネットワークノードは、決定されたセットにおけるＤＣＩフォーマットの１つを使用して制御情報をＵＥに送信し、その結果、ＵＥはＤＣＩ設定に従ってデータを送受信することができる。ＵＥおよびネットワークノードに対してこれらのアプローチを実現する方法は、以下の図３および図４を参照して実証されるであろう。
【００４０】
図３は無線装置の方法を概略的に示すフローチャートである。本方法は、ダウンリンク制御信号を監視するための帯域幅を決定すること（３００）を含む。監視のための帯域幅の決定３００は、直前または過去に使用されたＤＣＩに基づいてもよい。例えば、直前の又は過去のＤＣＩは、連続送信において使用されるべき帯域幅についての明示的な情報を含むことができ、無線装置はどの帯域幅を適用すべきかを知るであろう。他の例は、帯域幅の決定が、これとは異なることを示す他の情報が利用可能でないとき、直前のまたは過去のＤＣＩに関連する帯域幅、すなわちそれに適したまたはそれと共に使用される帯域幅であると黙示的に仮定され得る。帯域幅の決定はまた、リソース割り当てが割り当てしきい値に達したときにタイマーをリセットすることを含むことができ、割り当てしきい値は、より広いＢＷの使用に関する指示を受けることなしに特定の時間が経過したことであり得る。したがって、より広いＢＷが適用されることを示すそれぞれの指示にタイマーを設定することができ、タイマーが満了すると、リソース割り当ては割り当てしきい値を下回ると見なされ、ＵＥはより狭いＢＷの監視に戻る。ここでは、簡潔にするために、特に明記しない限り、用語ＢＷおよび帯域幅は、ダウンリンク（ＤＬ）ＢＷを監視するために使用される。ＤＬ監視ＢＷは、下り制御信号を監視するための帯域幅である。
【００４１】
本方法はさらに、可能なダウンリンク制御情報であるＤＣＩのフォーマットのセットを決定するステップ３０２を含む。ここで、可能なＤＣＩフォーマットは、決定された帯域幅と互換性のあるＤＣＩフォーマットである。ＤＣＩフォーマットのセットは、例えば、決定された帯域幅に基づいてテーブルから取得することができ、すなわちテーブルは、ＤＣＩフォーマットと帯域幅との間の実現可能なマッピングを含む。例えば、第１の帯域幅のための第１のセットのＤＣＩフォーマットは、第１の量の情報を保持するＤＣＩフォーマットを含み得、第２の帯域幅のための第２のセットのＤＣＩフォーマットは、第２の量の情報を保持するＤＣＩフォーマットを含み得る。ここで、第２の帯域幅は第１の帯域幅より広いと仮定されており、第２の情報量は第１の情報量の一部ではない情報を含む。従って、より広い帯域幅はより多くの情報を保持するＤＣＩフォーマットを要求するかもしれない。この意味におけるさらなる情報は、例えば、複数の複数入力複数出力（ＭＩＭＯ）、第１のしきい値を上回るレイヤ、第２のしきい値を上回る変調および符号化方式、第３のしきい値を超える符号化率、第１の帯域幅外のリソースブロックを指すリソースブロック割り当て、その他などのいずれかであってもよい。
【００４２】
本方法は、ネットワークノードからの送信を受信すること３０４をさらに含む。ここで、この受信は、無線装置が取得したい制御情報を含み得る。したがって、本方法は、そのセットのＤＣＩフォーマットのうちの少なくとも１つを使用して復号すること（３０６）によって、送信中の制御情報をサーチすることを含む。例えば、復号化は、ＤＣＩのうちの１つを使用して制御情報を復号化することを試行することを含むことができ、ＤＣＩのうちの１つは、１つまたは他の方法、たとえば、履歴情報、尤度演算、ランダム、固定の順番、その他などを使用して選択されてもよい。アプローチは、セット内のそれぞれのＤＣＩフォーマットに使用可能ないくつかの可能な制御チャネル要素（ＣＣＥ）の数に関する情報を決定することであり、可能なＣＣＥの数についての情報は復号化に使用される。次に、復号化が成功したかどうかがチェックされる（３０７）。復号化が失敗した場合、手順はセットから別のＤＣＩを選択すること（３０９）を続いて実行して、制御情報を復号化する試行に戻る。復号化が成功した場合、本方法は以下に示されるように進行する。
【００４３】
制御情報の復号化が成功すると、本方法は、送信におけるペイロードのビットを正常に使用されたＤＣＩフォーマットにマッピングすること（３０８）を含むことができ、本方法は、制御情報に関連する少なくとも１つのタスクを実行すること（３１０）に進む。すなわち、無線装置は今や所望の制御情報を取得しており、それに基づいて行動することができる。
【００４４】
復号化の成功が達成されると、無線装置は制御情報から情報を得ることができる。上述のように、情報の一部は、到来する帯域幅設定に関するものであり得る。したがって、本方法は、監視されるべき帯域幅が変更されるように指示されているかどうかをチェックすること（３１２）を含み得る。帯域幅の変更が予測されない場合、無線装置は、同じパラメータを再び使用して次の送信を受信すること（３０４）に進むことができる。しかしながら、帯域幅の変更が示された場合には、手順は監視のための動作帯域幅を決定すること（３００）からすべてをやり直す。
【００４５】
いくつかの実施形態では、無線装置が制御チャネル、たとえば、ＰＤＣＣＨ、をブラインドで復号しようと試みる場合、ブラインド復号化検索が行われるが、これは、ＤＬ監視帯域幅に対して許容される可能なＤＣＩフォーマットのセットと、それぞれのＤＣＩフォーマットに対して使用されるべき可能な符号化率との組み合わせを仮定することで実行されうる。いくつかの実施形態では、これは、組み合わせることができる可能なＣＣＥの数、すなわち許容されるアグリゲーションレベルに関連し、ＬＴＥではこれは１、２、４または８であり得る。復号が成功したと判定されない場合、ＵＥはＤＣＩフォーマット仮説／アグリゲーションレベル／復号の開始位置を変更し、全ての仮説が試行されるまで新たな試行を行う。いくつかの実施形態では、ＵＥは、それが有効なＤＣＩを見つけるまで、またはすべての可能性が使い果たされるまで、すなわち最大で１つの有効なＤＣＩを見つけることができるまでサーチする。別の実施形態では、無線装置はすべての仮説を試して、２つ以上の有効なＤＣＩ、たとえば、１つのＤＬ割り当てと１つのＵＬグラントと、を見つけることができる。符号化が成功すると、無線装置はペイロード内のビットを、決定されたＤＣＩフォーマット／ＤＣＩフォーマット（複数）、使用される無線アクセス技術の規格に基づくルックアップテーブル、にマッピングし、ビットを解釈することができ、したがって決定されたタスクに関連するタスクを実行することができる。無線装置は次に情報についてＤＬＣＣＨを監視し続け、上述のように黙示的または明示的であり得る情報がＤＬ監視ＢＷの変更の必要性を示すと、ＵＥは許可されたＤＣＩフォーマットのセットを、新しく設定されたＤＬ監視ＢＷで許可されているＤＣＩフォーマットに置き換える。オプションで、ＵＥはまた、ワイドＢＷが常に適用されるようにＤＬ監視ＢＷを変更し得る。他の実施形態では、監視帯域幅を変更するための他のトリガが可能であり、たとえば、ＵＥがＤＬ監視ＢＷをいつ変更すべきかを示す、別個のチャネルまたはおそらく周期的なタイマーであってもよい。一例は、狭帯域から広帯域のＤＬ監視帯域幅への変更指示は明示的なビットであり得るが、狭帯域のＤＬ監視帯域幅へのフォールバックはタイマーを介して行われ得ることである。
【００４６】
広いＢＷのためのＤＣＩフォーマットのセットは、必ずしも大きなＤＣＩサイズを意味するわけではない。いくつかの実施形態では、狭いＢＷと広いＢＷの両方に対して同じＤＣＩサイズを想定することができるが、広いＢＷの場合、ＲＢ割り当ては前者の場合よりも大きなＲＢグループに基づき、すなわち、狭いＢＷの場合には、リソースビットマップにおける各ビットはある量のＲＢに対応するが、広帯域の場合には、各ビットはより多くの量のＲＢに対応し、ＲＢ割り当てをシグナリングする他の方法についても同様である。すなわち、広帯域モードに入るときに、ＢＷの取引的解決が実行されてもよい。
【００４７】
上記の説明では、理解を容易にするために、より狭い帯域幅とより広い帯域幅があるという説明に基づいている。しかしながら、その原理は、上で実証されたのと同じアプローチを使用する３つ以上の異なるＢＷに適用可能である。したがって、無線装置は、次に、どのＢＷを制御チャネルの監視に使用するかを決定する。この決定は、例えばビットパターンに基づいてもよい。
【００４８】
図４は、無線アクセスネットワークのネットワークノードの方法を概略的に示すフローチャートである。この方法は、ダウンリンク送信で使用されるダウンリンク帯域幅を設定すること（４００）と、ダウンリンク帯域幅に基づいてＤＣＩフォーマットを決定すること（４０２）とを含む。ここで、適切なＤＣＩフォーマットは上述の通りである。したがって、第１の帯域幅のための第１のセットのＤＣＩフォーマットは、第１の量の情報を保持するＤＣＩフォーマットを含み得、第２の帯域幅のための第２のセットのＤＣＩフォーマットは、第２の量の情報を保持するＤＣＩフォーマットを含み得る。ここで、第２の帯域幅は第１の帯域幅よりも広く、そして第２の量の情報は第１の量の情報の一部ではない情報を含む。第２の量の情報の一部であるが第１の量の情報の一部ではない情報は、例えば、第１のしきい値を超える複数入力複数出力（ＭＩＭＯ）のレイヤの数、第２のしきい値を超える変調および符号化方式、第３のしきい値を超える符号化率、第１の帯域幅外のリソースブロックを指すリソースブロック割り当て、その他などのいずれかを含むことができる。
【００４９】
送信するデータがあるかどうかに関するチェック（４０４）は、決定されたＤＣＩフォーマットを有するＤＣＩを使用して制御情報を送信する（４０６）前に実行され得る。チェック（４０４）は同様に帯域幅の設定（４００）の前に実行されてもよく、適切な帯域幅を決定するときにデータの量や種類、その他などが考慮されてもよい。
【００５０】
制御情報が送信されると（４０６）、適切なコネクションが稼働中であると仮定され、本方法はデータを送信すること（４０８）に進むことができる。
【００５１】
ネットワーク（ＮＷ）ノード、例えばｇＮｏｄｅＢは、ＵＥにサービスを提供しており、ＵＥは、上で詳細に説明されたように、少なくとも第１の狭帯域ＤＬ監視ＢＷおよび広帯域ＤＬ監視ＢＷで動作するように構成される能力を有する。ＮＷノードは、現在の必要性に従ってＤＬ監視ＢＷの設定を開始し、これは、ＵＥからシグナリングされてもよいし、または例えば、このＵＥのためのバッファで待機しているデータの量や、このＵＥの過去のトラフィック履歴、このＵＥに送信されるデータのタイプ、たとえば、遅延に敏感もしくは敏感でない、その他などに基づいてもよい。設定されたＤＬ監視ＢＷに基づいて、ＮＷノードは、使用可能なＤＣＩフォーマットのセットを決定する。例えば、広帯域ＤＬ監視ＢＷが設定されている場合、ＮＷノードは、データを送信するようにスケジュールされ得るより多くの可能なＲＢを指し示すことができる必要があり、例えば、より大きなビットマップはより大きなＤＣＩペイロードを意味したり、同様に、狭帯域ＤＬ監視ＢＷが使用されるときと比較して、開始点および割り当ての長さなどをシグナリングしたりするような他の方式が採用されてもよい。さらに、狭帯域ＤＬ監視ＢＷは主に省電力を目的としているため、許容されるＭＩＭＯレイヤ／アンテナポート数が少なく、ハイスループットな広帯域ＤＬ監視ＢＷが使用される場合と比較して、現在使用されているＭＩＭＯ構成を指摘するためにＤＣＩで必要となるビットの数が少なくなることを意味する。
【００５２】
他の実施形態では、使用する可能性のある変調方式、符号化率、その他の（ＭＣＳ）の数も異なり得るため、選択されたＭＣＳを表すためのビット数も異なり得る。他の実施形態では、狭帯域／広帯域ＰＤＣＣＨに応じて、ＤＬとＵＬの両方についてクロススロットスケジューリングに関して、異なる可能性があり得る。さらに別の実施形態では、将来の監視ＢＷを示すために異なるビット数、例えば、狭いＢＷは、広いＢＷに切り替えるために１ビットを必要とするが、上述のようなタイマー実施形態では切り替えるためのビットはおそらく必要ない。次にスケジューラは、ＵＥにスケジュールされるべきデータが存在するかどうかを監視し、存在すれば、ＮＷノードは、ＰＤＳＣＨにおけるデータの割り当て、使用するＭＩＭＯ方式などを決定し、決定された必要性に従って必要なＤＣＩを設定し、制御情報を送信する。
【００５３】
本発明による方法は、とりわけ、それぞれの方法についての動作を処理および／または制御するプロセッサ４０、６０を特に上述の処理要素３６および５６が含む場合など、コンピュータおよび／またはプロセッサなどの処理手段を用いて実装されることに適している。したがって、処理手段、プロセッサ、またはコンピュータに、それぞれ図３および４を参照して説明された実施形態のいずれかによる方法のいずれかのステップを実行させるように構成された命令を含むコンピュータプログラムが提供される。コンピュータプログラムは、本発明の実施形態に、好ましくは図３および図４を参照して説明した実施形態のいずれかにしたがって、それぞれが方法を実行させるために、図５に示すような、処理手段、プロセッサ、またはコンピュータ５０２によってロードされて実行され得る、コンピュータ可読媒体５００に格納されたプログラムコードを含む。コンピュータ５０２およびコンピュータプログラム製品５００は、いずれかの方法の動作が段階的に実行される場合にプログラムコードを順次実行するように構成されてもよく、またはリアルタイムで動作を実行するように構成されてもよい。処理手段、プロセッサ、またはコンピュータ５０２は、通常は組み込み型システムと呼ばれるものであることが好ましい。したがって、図５に示されたコンピュータ可読媒体５００およびコンピュータ５０２は、原理の理解を提供するためだけの例示目的のためであると解釈されるべきであり、要素の直接的な例示として解釈されるべきではない。
【００５４】
図６は、一実施形態にしたがった、ネットワークノード２００および通信装置２１０のより詳細な図を含む無線ネットワークを示す。簡単にするために、図６は、ネットワーク２２０、ネットワークノード２００および２００ａ、ならびに通信装置２１０のみを示す。ネットワークノード２００は、プロセッサ２０２、記憶装置２０３、インターフェース２０１、およびアンテナ２０１ａを備える。同様に、通信装置２１０は、プロセッサ２１２、記憶装置２１３、インターフェース２１１、およびアンテナ２１１ａを備える。これらの構成要素は、ネットワークノードおよび／または無線装置の機能性を提供するために一緒に機能し得る。異なる実施形態では、無線ネットワークは、任意の数の有線または無線ネットワーク、ネットワークノード、基地局、コントローラ、無線装置、中継局、および／またはデータの通信を促進または参加したり、および／または、有線または無線接続を介してシグナリングしたりする他の任意の構成要素を含み得る。
【００５５】
ネットワーク２２０は、１つまたは複数のＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、および無線装置間の通信を可能にするためのその他のネットワークを含むことができる。
【００５６】
ネットワークノード２００は、プロセッサ２０２、記憶装置２０３、インターフェース２０１、およびアンテナ２０１ａを備える。これらの構成要素は、単一のより大きなボックス内に配置された単一のボックスとして描かれている。しかしながら、実際には、ネットワークノードは、単一の図示された構成要素を構成する複数の異なる物理的構成要素を含み得る（例えば、インターフェース２０１は、有線接続用のワイヤを結合するための端子および無線接続用の無線トランシーバを含み得る）。同様に、ネットワークノード２００は、それぞれ独自のそれぞれのプロセッサ、記憶装置、およびインターフェース構成要素を有することができる複数の物理的に別々の構成要素（例えば、ＮｏｄｅＢ構成要素とＲＮＣ構成要素、ＢＴＳ構成要素とＢＳＣ構成要素など）から構成することができる。ネットワークノード２００が複数の別々の構成要素（例えば、ＢＴＳおよびＢＳＣ構成要素）を含む特定のシナリオでは、１つまたは複数の別々の構成要素をいくつかのネットワークノード間で共有することができる。例えば、単一のＲＮＣが複数のＮｏｄｅＢを制御することがある。そのようなシナリオでは、各一意のＮｏｄｅＢとＢＳＣのペアは、別々のネットワークノードであり得る。いくつかの実施形態では、ネットワークノード２００は、複数の無線アクセス技術（ＲＡＴ）をサポートするように構成され得る。そのような実施形態では、いくつかの構成要素が複製され（たとえば、異なるＲＡＴのための別々の記憶装置２０３）、いくつかの構成要素が再利用され得る（たとえば、同じアンテナ２０１ａをＲＡＴで共有することができる）。
【００５７】
プロセッサ２０２は、マイクロプロセッサ、コントローラ、マイクロコントローラ、中央処理装置、デジタル信号プロセッサ、特定用途向け集積回路、フィールドプログラマブルゲートアレイのうちの１つ以上の組み合わせ、または、他の任意の適切なコンピューティング無線装置、リソース、または、単独で、または記憶装置２０３のような他のネットワークノード２００の構成要素と連携して、ネットワークノード２００の機能を提供するように動作可能なハードウェア、ソフトウエアおよび／またはエンコードされたロジックのいずれかの組み合わせであってもよい。例えば、プロセッサ２０２は、記憶装置２０３に格納されている命令を実行することができる。そのような機能は、本明細書で開示された任意の特徴または利点を含む、本明細書で論じられた様々な無線機能をＷＤ２１０などの無線装置に提供することを含むことができる。
【００５８】
記憶装置２０３は、不揮発性記憶装置、ソリッドステートメモリ、リモートマウントメモリ、磁気媒体、光媒体、ランダムアクセスメモリ（ＲＡＭ）、読み出し専用メモリ（ＲＯＭ）、リムーバブルメディア、または任意の他の適切なローカルもしくはリモートのメモリコンポーネントを含むがこれらに限定されることはなく、任意の形態の揮発性または不揮発性コンピュータ可読メモリを含み得る。記憶装置２０３は、ネットワークノード２００によって利用されるソフトウェアおよびエンコードされたロジックを含む任意の適切な命令、データまたは情報を記憶することができる。記憶装置２０３は、プロセッサ２０２によって行われた計算および／またはインターフェース２０１を介して受信された任意のデータを格納するために使用されてもよい。
【００５９】
ネットワークノード２００はまた、ネットワークノード２００、ネットワーク２２０、および／またはＷＤ２１０間のシグナリングおよび／またはデータの有線または無線通信で使用され得るインターフェース２０１を備える。例えば、インターフェース２０１は、ネットワークノード２００が有線接続を介してネットワーク２２０からデータを送受信することを可能にするために必要とされることがある任意のフォーマット、コーディング、または変換を実行することができる。インターフェース２０１はまた、アンテナ２０１ａに結合され得るか、またはアンテナ２０１ａの一部であり得る無線送信機および／または受信機を含み得る。無線機は、無線接続を介して他のネットワークノードまたはＷＤに送信されるべきデジタルデータを受信することができる。無線機は、デジタルデータを適切なチャネルおよび帯域幅パラメータを有する無線信号に変換することができる。無線信号は次にアンテナ２０１ａを介して適切な受信者（例えばＷＤ２１０）に送信されてもよい。
【００６０】
アンテナ２０１ａは、データおよび／または信号を無線で送受信することができる任意の種類のアンテナとすることができる。いくつかの実施形態では、アンテナ２０１ａは、例えば２ＧＨｚと６６ＧＨｚとの間で無線信号を送信／受信するように動作可能な１つまたは複数の全方向性のセクタまたはパネルアンテナを備えることができる。無線信号を任意の方向に送受信するために全方向性アンテナが使用されてもよいし、特定のエリア内の装置から無線信号を送受信するためにセクタアンテナが使用されてもよいし、無線信号を比較的直線で送信／受信する見通し線アンテナとしてパネルアンテナが使用されてもよいし、ビームフォーミング送信および／または受信パターンを提供するために、アンテナ素子のアレイが使用されてもよい。
【００６１】
ＷＤ２１０は、任意の種類の通信装置、無線装置、ＵＥ、Ｄ２Ｄ装置またはＰｒｏＳｅＵＥであり得るが、一般に、任意の装置、センサ、アクチュエータ、スマートフォン、モデム、ラップトップ、パーソナルデジタルアシスタント（ＰＤＡ）、タブレット、モバイル端末、スマートフォン、ラップトップ内蔵機器（ＬＥＥ）、ラップトップ搭載機器（ＬＭＥ）、ユニバーサルシリアルバス（ＵＳＢ）ドングル、マシンタイプＵＥ、マシンツーマシン（Ｍ２Ｍ）通信が可能なＵＥなどネットワークノード２００および／または他のＷＤなどのネットワークノードとの間でデータおよび／または信号を送受信するいずれのものであってもよい。ＷＤ２１０は、プロセッサ２１２、記憶装置２１３、インターフェース２１１、およびアンテナ２１１ａを備える。ネットワークノード２００と同様に、ＷＤ２１０の構成要素は、単一のより大きなボックス内に配置された単一のボックスとして示されているが、実際には、無線装置は単一の図示された構成要素を構成する複数の異なる物理的構成要素を含み得る（たとえば、記憶装置２１３は複数のディスクリートのマイクロチップを含みうるが、各マイクロチップは総記憶容量の一部を表す）。
【００６２】
プロセッサ２１２は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティング無線装置、リソースのうちの一つ以上の組み合わせや、または、単独で、または記憶装置２１３のように他のＷＤ２１０コンポーネントと組み合わせて、ＷＤ２１０機能を提供するように動作可能なハードウェア、ソフトウェアおよび／またはエンコードされたロジックの組み合わせであってもよい。そのような機能は、本明細書に開示された任意の特徴または利点を含む、本明細書に論じられた様々な無線機能を提供することを含むことができる。
【００６３】
記憶装置２１３は、限定はしないが、永続記憶装置、ソリッドステートメモリ、リモートマウントメモリ、磁気媒体、光学媒体、ランダムアクセスメモリ（ＲＡＭ）、読み出し専用メモリ（ＲＯＭ）、リムーバブルメディア、またはその他の適切なローカルまたはリモートのメモリコンポーネントを含む、任意の形態の揮発性または不揮発性メモリとすることができる。記憶装置２１３は、ＷＤ２１０によって利用されるソフトウェアおよびエンコードされたロジックを含む任意の適切なデータ、命令、または情報を記憶することができる。記憶装置２１３は、プロセッサ２１２によって行われた計算および／またはインターフェース２１１を介して受信された任意のデータを格納するために使用されてもよい。
【００６４】
インターフェース２１１は、ＷＤ２１０とネットワークノード２００との間のシグナリングおよび／またはデータの無線通信において使用され得る。例えば、インターフェース２１１は、ＷＤ２１０が無線接続を介してネットワークノード２００からデータを送受信することを可能にするために必要とされることがある任意のフォーマット化、コーディング、または変換を実行することができる。インターフェース２１１はまた、アンテナ２１１ａに結合され得るかまたはアンテナ２１１ａの一部であり得る無線送信機および／または受信機を含み得る。無線機は、無線接続を介してネットワークノード２０１に送信されるべきデジタルデータを受信することができる。無線機は、デジタルデータを適切なチャネルおよび帯域幅パラメータを有する無線信号に変換することができる。無線信号は次にアンテナ２１１ａを介してネットワークノード２００に送信されてもよい。
【００６５】
アンテナ２１１ａは、データおよび／または信号を無線で送受信することができる任意の種類のアンテナであり得る。いくつかの実施形態では、アンテナ２１１ａは、２ＧＨｚから６６ＧＨｚの間で無線信号を送信／受信するように動作可能な１つまたは複数の全方向性のセクタまたはパネルアンテナを備えることができる。簡単にするために、アンテナ２１１ａは、無線信号が使用されている範囲でインターフェース２１１の一部と見なすことができる。
【００６６】
いくつかの実施形態では、上記の構成要素は、Ｄ２Ｄ通信で使用される１つまたは複数の機能モジュールを実装するために使用され得る。機能モジュールは、ソフトウェア、コンピュータプログラム、サブルーチン、ライブラリ、ソースコード、または例えばプロセッサによって実行される任意の他の形態の実行可能命令を含み得る。大まかに言えば、各機能モジュールはハードウェアおよび／またはソフトウェアで実施することができる。好ましくは、１つまたは複数のまたはすべての機能モジュールは、おそらく記憶装置２１３および／または２０３と協働して、プロセッサ２１２および／または２０２によって実装され得る。したがって、プロセッサ２１２および／または２０２および記憶装置２１３および／または２０３は、プロセッサ２１２および／または２０２が記憶装置２１３および／または２０３から命令をフェッチし、フェッチされた命令を実行してそれぞれの機能モジュールが任意の特徴またはここに開示された機能を実行できるようにする。モジュールは、本明細書に明示的に記載されていないが当業者の知識の範囲内にあるだろう他の機能またはステップを実行するようにさらに構成され得る。
【００６７】
本発明の概念のいくつかの態様は、いくつかの実施形態を参照して主に上述されている。しかしながら、当業者によって容易に理解されるように、上記に開示されたもの以外の実施形態も等しく可能であり、そして本発明の概念の範囲内である。同様に、多数の異なる組み合わせが論じられてきたが、全ての可能な組み合わせは開示されていない。当業者であれば、他の組み合わせが存在し、それらが本発明の概念の範囲内にあることを理解するであろう。さらに、当業者には理解されるように、本明細書に開示された実施形態は他の規格および通信システムにもそのまま適用可能であり、他の特徴に関して開示された特定の図からの任意の特徴は任意の他の図にも適用されたり、異なる特徴と組み合わされたりしてよい。
【図１】
2019533955.tif 000003
【図２】
2019533955.tif 000004
【図３】
2019533955.tif 000005
【図４】
2019533955.tif 000006
【図５】
2019533955.tif 000007
【図６】
2019533955.tif 000008
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
無線装置の方法であって、
ダウンリンク制御信号を監視するための帯域幅を決定することと、
可能なＤＣＩ（ダウンリンク制御インジケータ）フォーマットのセットを決定することであって、可能なＤＣＩフォーマットは前記決定された帯域幅と互換性を有するＤＣＩフォーマットである、ことと、
ネットワークノードからの送信を受信することと、
前記セットのうちの少なくとも一つの前記ＤＣＩフォーマットを使用して復号することによって前記送信における制御情報をサーチすることと、
前記制御情報の復号に成功すると、前記制御情報に関連付けられた少なくとも一つのタスクを実行することと、を有する方法。
【請求項２】
請求項１に記載の方法であって、前記セットのうちの少なくとも一つの前記ＤＣＩフォーマットを使用して復号することは、
前記ＤＣＩフォーマットの一つを使用して制御情報を復号することを試行することと、
復号が失敗すると、前記セットから別のＤＣＩを選択し、前記制御情報の復号の試行に戻ること、または、
復号が成功すると、前記少なくとも一つのタスクを実行することに進むことと、を有する方法。
【請求項３】
請求項１または２に記載の方法であって、前記ＤＣＩフォーマットのセットは、前記決定された帯域幅に基づいてテーブルから取得される、方法。
【請求項４】
請求項１ないし３のいずれか一項に記載の方法であって、前記セットにおけるそれぞれのＤＣＩフォーマットに使用可能である、可能な制御チャネル要素であるＣＣＥの数に関する情報を決定することを有し、前記可能なＣＣＥの数に関する情報は前記復号のために使用される、方法。
【請求項５】
請求項１ないし４のいずれか一項に記載の方法であって、第１の帯域幅のための第１のセットのＤＣＩフォーマットは、第１の量の情報を保持するＤＣＩフォーマットを含み、第２の帯域幅のための第２のセットのＤＣＩフォーマットは、第２の量の情報を保持するＤＣＩフォーマットを含み、前記第２の帯域幅は前記第１の帯域幅よりも広く、前記第２の量の情報は前記第１の量の情報の一部ではない情報を含む、方法。
【請求項６】
請求項５に記載の方法であって、前記第２の量の情報の一部であるが前記第１の量の情報の一部ではない前記情報は、
第１のしきい値を超える複数入力複数出力（ＭＩＭＯ）レイヤの数と、
第１の帯域幅に対する設定よりも多くのビットを必要とする、より複雑なＭＩＭＯ設定と、
第２のしきい値を超える変調符号化方式と、
第３のしきい値を超える符号化率と、
前記第１の帯域幅の外側のリソースブロックを指すリソースブロック割り当てと、のいずれかを含む、方法。
【請求項７】
請求項１ないし６のいずれか一項に記載の方法であって、監視のための前記帯域幅を決定することは、直前または過去に使用されたＤＣＩに基づく、方法。
【請求項８】
請求項７に記載の方法であって、前記直前または過去のＤＣＩは、連続送信で使用されるべき帯域幅についての明示的な情報を含む、方法。
【請求項９】
請求項８に記載の方法であって、前記明示的な情報は、前記ダウンリンク制御信号を監視するための前記帯域幅を示す１つまたは複数のビットを含む、方法。
【請求項１０】
請求項７に記載の方法であって、前記帯域幅を決定することは、前記直前または過去のＤＣＩに関連する帯域幅として黙示的に決定される、方法。
【請求項１１】
請求項１ないし１０のいずれか一項に記載の方法であって、監視するための前記帯域幅を決定することは、
監視のためにより広い帯域幅で動作しているとき、リソース割り当てが割り当てしきい値に達したときにタイマーをリセットすることと、
前記タイマーが満了すると、前記監視のための帯域幅をより狭い帯域幅に決定することと、を有する方法。
【請求項１２】
請求項１１に記載の方法であって、前記タイマーをリセットすることは、前記タイマーを設定して開始させることを含む、方法。
【請求項１３】
請求項１ないし１２のいずれか一項に記載の方法を実行するように構成された無線装置。
【請求項１４】
無線装置のプロセッサによって実行されると、前記無線装置に請求項１ないし１２のいずれか一項に記載の方法を実行させる命令を含むコンピュータプログラム。
【請求項１５】
ネットワークノードの方法であって、
ダウンリンク送信で使用されるダウンリンク帯域幅を設定することと、
前記ダウンリンク帯域幅に基づいてＤＣＩフォーマットを決定することと、
前記決定されたＤＣＩフォーマットを有するＤＣＩを使用して制御情報を送信することと、を有する方法。
【請求項１６】
請求項１５に記載の方法であって、第１の帯域幅のための第１のセットのＤＣＩフォーマットは、第１の量の情報を保持するＤＣＩフォーマットを含み、第２の帯域幅のための第２のセットのＤＣＩフォーマットは、第２の量の情報を保持するＤＣＩフォーマットを含み、前記第２の帯域幅は前記第１の帯域幅よりも広く、前記第２の量の情報は前記第１の量の情報の一部ではない情報を含む、方法。
【請求項１７】
請求項１６に記載の方法であって、前記第２の量の情報の一部であるが前記第１の量の情報の一部ではない前記情報は、
第１のしきい値を超える複数入力複数出力（ＭＩＭＯ）レイヤの数と、
第２のしきい値を超える変調符号化方式と、
第３のしきい値を超える符号化率と、
前記第１の帯域幅の外側のリソースブロックを指すリソースブロック割り当てと、のいずれかを含む、方法。
【請求項１８】
請求項１５ないし１７のいずれか一項に記載の方法であって、前記ダウンリンク帯域幅は、直前または過去のＤＣＩにおいて示される、方法。
【請求項１９】
請求項１８に記載の方法であって、前記直前または過去のＤＣＩは、連続送信で使用されるべき帯域幅についての明示的な情報を含む、方法。
【請求項２０】
請求項１９に記載の方法であって、前記明示的な情報は、ダウンリンク制御信号を監視するための前記ダウンリンク帯域幅を示す１つまたは複数のビットを含む、方法。
【請求項２１】
請求項１８に記載の方法であって、前記ダウンリンク帯域幅は、他のものを明示的に示されない限りにおいて、前記直前または過去のＤＣＩに関連する帯域幅として黙示的に決定される、方法。
【請求項２２】
請求項１７ないし２１のいずれか一項に記載の方法であって、前記ダウンリンク帯域幅を設定することは、
監視のためにより広い帯域幅で動作しているとき、リソース割り当てが割り当てしきい値に達したときにタイマーをリセットすることと、
前記タイマーが満了すると、前記監視のための前記ダウンリンク帯域幅をより狭い帯域幅に設定することと、を有する方法。
【請求項２３】
請求項２２に記載の方法であって、前記タイマーをリセットすることは、前記タイマーを設定して開始させることを含む、方法。
【請求項２４】
請求項１５ないし２３のいずれか一項に記載の方法を実行するように構成された、無線アクセスネットワークのネットワークノード。
【請求項２５】
ネットワークノードのプロセッサによって実行されると、前記ネットワークノードに請求項１５ないし２３のいずれか一項に記載の方法を実行させる命令を含むコンピュータプログラム。
【国際調査報告】
2019533955.tif 000009
2019533955.tif 000010
2019533955.tif 000011